【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
開口部を含む空間充填材と、
筒状部と、
該空間充填材と連結され、該空間充填材から、該空間充填材の内部部分内に延びる、注入部材であって、該注入部材は、該開口部と流体連絡する注入管腔を含み、該開口部は、該空間充填材の該内部部分内にある該注入部材の一部上に配置され、該開口部は、該注入管腔と、該空間充填材の該内部部分との間に流体連絡を提供する、注入部材と、
該空間充填材の該内部部分内の気腹流体であって、該気腹流体は、該注入管腔から該開口部を通って送達される、気腹流体と、
該注入管腔から該開口部を通って送達され、該筒状部と該開口部との間で受容されるオイルであって、該オイルは該気腹流体以外の材料である、オイルと
を含む、胃空間充填装置。
【請求項２】
前記筒状部は、前記注入部材の周りに巻き付けられる、請求項１に記載の胃空間充填装置。
【請求項３】
前記筒状部は、前記空間充填材の膨張の間、気腹流体を該空間充填材に流入させる、請求項１に記載の胃空間充填装置。
【請求項４】
前記筒状部は、前記オイルが該筒状部と前記開口部との間に受容された後、前記気腹流体を前記空間充填材から流出させない、請求項３に記載の胃空間充填装置。
【請求項５】
前記注入管腔は、突起が該注入管腔内に挿入されるまで、流体の通過を減少させるゲートを備える、請求項１に記載の胃空間充填装置。
【請求項６】
鞘をさらに備え、前記鞘は、少なくとも部分的に前記空間充填材を覆う、請求項１に記載の胃空間充填装置。
【請求項７】
前記鞘は、ステッチによって、前記空間充填材の周囲に固着される、請求項６に記載の胃空間充填装置。
【請求項８】
前記ステッチは、該ステッチを引張ることによって解放される、請求項７に記載の胃空間充填装置。
【請求項９】
鞘解放クリップをさらに備え、該鞘解放クリップは、該鞘解放クリップが前記胃空間充填装置上に係合されている間、前記ステッチが解放されるのを防止し、さらに、該鞘解放クリップは、該鞘解放クリップが該胃空間充填装置から除去されると、該ステッチを解放させる、請求項８に記載の胃空間充填装置。
【請求項１０】
気腹流体を前記空間充填材に送達するように構成される送達管腔と、
該送達管腔に接続されるルアーと、
該送達管腔に除去可能に取り付けられるハンドルと
を備える、送達システムをさらに備え、該ハンドルは、内部区画を含み、該ルアーは、ハンドルが該送達管腔に除去可能に取り付けられている間、該ハンドルの該内部区画の少なくとも一部内に配置され、該ルアーは、該ハンドルが除去されるときに、露出され、さらに、前記ステッチは、該ハンドルが除去されるときに、該ステッチが引張られるように、該ハンドルに取り付けられる、請求項８に記載の胃空間充填装置。
【請求項１１】
前記鞘は、前記空間充填材が膨張するとき、自動的に該空間充填材の覆いを取り、該鞘は、覆いを取られた後に該空間充填材と接触したままである、請求項６に記載の胃空間充填装置。
【請求項１２】
胃空間充填装置を患者内に据え付けるシステムであって、該システムは、
胃空間充填装置に取り付けられる送達システムであって、該送達システムおよび該胃空間充填装置は、患者の胃内へ食道を通して、送達されるように構成され、該胃空間充填装置は、
開口部を含む空間充填材であって、該開口部は、該空間充填材の外側から、該空間充填材の内部に延びる注入部材上に配置される、空間充填材と、
筒状部であって、該空間充填材の内部部分と向かい合う該筒状部の側の開口部を覆う、筒上部と、
該筒状部と該開口部との間のオイルと、
該空間充填材の少なくとも一部を覆うように構成される鞘と
を備えている、システム。
【請求項１３】
前記空間充填材は膨張するように構成され、前記鞘は、該空間充填材が膨張したときに、自動的に該空間充填材の覆いを取り、前記胃空間充填装置と接触したままにする、請求項１２に記載のシステム。
【請求項１４】
独立して充填される複数のチャンバを備えている胃空間充填装置であって、
１つのチャンバの予想外の収縮の際に、少なくとも１つの他のチャンバは、幽門を通る該胃空間充填装置の通過を防止するために膨張したままである、胃空間充填装置。
【請求項１５】
前記胃空間充填装置は、２つの独立チャンバを備える、請求項１４に記載の胃空間充填装置。
【請求項１６】
前記チャンバは、胃の概略的な形状に一致するように配置される、請求項１４に記載の胃空間充填装置。
【請求項１７】
前記オイルは、石油ベースのオイルを含む、請求項１に記載の胃空間充填装置。
【請求項１８】
前記オイルは、鉱油を含む、請求項１に記載の胃空間充填装置。
【請求項１９】
前記筒状部の少なくとも一部は、前記空間充填材の内部部分の膨張の前に、前記開口部から離れるように動くように構成される、請求項１２に記載のシステム。
【請求項２０】
前記筒状部は、前記注入部材の周りに巻き付けられる、請求項１２に記載のシステム。
【請求項２１】
前記筒状部は、前記空間充填材の外側の圧力が、該空間充填材内部よりも大きいとき、前記開口部を通る気腹流体の通過を可能にするように構成され、前記スリーブは、該空間充填材の内部の圧力が、該空間充填材の外側の圧力よりも大きいとき、該開口部を通って該気腹流体が流出されることを防ぐようにさらに構成される、請求項１２に記載のシステム。
【手続補正２】
【補正対象書類名】明細書
【補正対象項目名】００１０
【補正方法】変更
【補正の内容】
【００１０】
本開示の上述の特徴および目的は、添付の図面と併せて検討される以下の説明を参照することによって、より明白となるであろう（同一参照番号は、同一要素を示す）。
例えば、本発明は以下の項目を提供する。
（項目１）
空間充填材と、該空間充填材を膨張させる開口部と、筒状部とを組み合わせて備え、該筒状部は、該筒状部と該開口部との間に鉱油を受容するように構成される、胃空間充填装置。
（項目２）
上記筒状部は、上記開口部と上記空間充填材の外周との間に配置される、項目１に記載の胃空間充填装置。
（項目３）
上記筒状部は、上記空間充填材の膨張の間、気腹流体を該空間充填材に流入させる、項目１に記載の胃空間充填装置。
（項目４）
上記筒状部は、上記鉱油が該筒状部と上記開口部との間に受容された後、上記気腹流体を上記空間充填材から流出させない、項目３に記載の胃空間充填装置。
（項目５）
上記空間充填材と連結される注入部材をさらに備える、項目１に記載の胃空間充填装置。
（項目６）
上記注入部材は、上記開口部と流体連通する注入管腔を備える、項目５に記載の胃空間充填装置。
（項目７）
上記注入管腔は、突起が該注入管腔内に挿入されるまで、流体の通過を減少させるゲートを備える、項目６に記載の胃空間充填装置。
（項目８）
鞘をさらに備え、上記鞘は、少なくとも部分的に上記空間充填材を覆う、項目１に記載の胃空間充填装置。
（項目９）
上記鞘は、ステッチによって、上記空間充填材の周囲に固着される、項目８に記載の胃空間充填装置。
（項目１０）
上記ステッチは、該ステッチを引張ることによって解放される、項目９に記載の胃空間充填装置。
（項目１１）
鞘解放クリップをさらに備え、該鞘解放クリップは、該鞘解放クリップが上記胃空間充填装置上に係合されている間、上記ステッチが解放されるのを防止し、該鞘解放クリップは、該鞘解放クリップが該胃空間充填装置から除去されると、該ステッチを解放させる、項目１０に記載の胃空間充填装置。
（項目１２）
気腹流体を上記空間充填材に送達するように構成される送達管腔と、該送達管腔に接続されるルアーと、該送達管腔に除去可能に取り付けられるハンドルとを備える、送達システムをさらに備え、該ハンドルは、内部区画を含み、該ルアーは、ハンドルが取り付けられている間、該ハンドルの該内部区画内に配置され、該ルアーは、該ハンドルが除去されると、露出され、上記ステッチは、該ハンドルが除去されると、該ステッチが引張られるように、該ハンドルに取り付けられる、項目１０に記載の胃空間充填装置。
（項目１３）
上記鞘は、上記空間充填材の膨張に伴って、自動的に該空間充填材の覆いを取る、項目８に記載の胃空間充填装置。
（項目１４）
胃空間充填装置を患者内に据え付ける方法であって、空間充填材を備える胃空間充填装置に取り付けられる送達システムを提供するステップと、鞘で該空間充填材の少なくとも一部を覆うステップと、患者の胃内へと続く食道を通して、該送達システムおよび該胃空間充填装置を送達するステップとを組み合わせて包含する、方法。
（項目１５）
上記空間充填材の覆いを取り、該空間充填材を膨張させるステップをさらに包含する、項目１４に記載の方法。
（項目１６）
上記空間充填材を膨張させるステップをさらに包含し、上記鞘は、該空間充填材の膨張に伴って、自動的に該空間充填材の覆いを取る、項目１４に記載の方法。
（項目１７）
改良点として、複数の独立して充填されるチャンバを備え、
１つのチャンバの予想外の収縮に応じて、少なくとも１つの他のチャンバは、膨張したままであって、幽門を通る該胃空間充填装置の通過を防止する、胃空間充填装置。
（項目１８）
上記胃空間充填装置は、２つの独立チャンバを備える、項目１７に記載の胃空間充填装置。
（項目１９）
上記チャンバは、胃の略形状に一致するように配置される、項目１７に記載の胃空間充填装置。